Podtech/llm-jp-corpus-v4-ja_patent huggingface dataset:
(57)【要約】　　　（修正有）【目的】犬や猫の歩行運動にあたり、飼い主は、犬猫を帯状の布で巻き付け、無理のない姿勢で車に乗せて手押して移送し、また、使用していないときにも、車の持ち運びを容易にすることによって、飼い主の労力を軽減することを図った。【構成】基本となる２本のパイプをつなぎあわせ、それらのパイプに２本のパイプを支柱として接続し、それぞれのパイプの底部に車輪４を取り付け、基本となる２本のパイプの間に犬猫の胴体に巻き付ける帯状の布５を留めておくという構成になっている。【選択図】　　図１
0003097661.tif 000002
【実用新案登録請求の範囲】
【請求項１】
基本となる２本のパイプ（１）をつなぎあわせ、それらのパイプに２本のパイプ（２）を支柱として接続し、それぞれのパイプの底部に車輪（４）を取り付け、基本となる２本のパイプ（１）の間に犬や猫の胴体に巻き付ける帯状の布（５）を留めておく、犬猫を移送する手押し車。
【考案の詳細な説明】
【０００１】
【産業上の利用分野】本考案は、飼い犬や猫の歩行運動を調節させるために、犬猫を休息させながら移送する手押し車に関するものである。
【０００２】
【従来の技術】犬や猫は、体形の大小や老若の態様によって、それぞれ、運動の分量を異にし、従って、飼い主は、飼い犬猫を歩行させるにあたり、その分量を調節する必要がある。
そうすると、飼い主は、小型種や老齢化した犬猫を休息させながら、みずからも散歩を続けることになる。殊に、飼い主が、数匹の犬猫を歩行させるときには、一方を休息させながら、別の犬猫を歩行させることにもなる。
このような状態に対処するためには、従来、飼い主は、小型種や老齢化した飼い犬猫を抱き抱えたり、あるいは、手提げ籠にいれて移送する手段しかなかった。
しかし、これらの移送手段には、次のような難点がある。
（イ）飼い主は、犬猫を抱き抱えながら、別の犬猫を歩行させるので、かなりの労力を必要とし、また、飼い犬猫も、必ずしも楽な姿勢とはいえない。
（ロ）飼い主は、一方の犬猫を籠にいれて持ち歩きながら、別の犬猫を歩行させるので、かなりの労力を必要とし、また、それができるのも小型種の犬猫に限られる。
【０００３】
【考案が解決しようとする課題】本考案は、このような難点を克服するためのものである。
（イ）飼い主が抱き抱えたり、または、籠にいれて持ち歩くことに伴う、飼い主の労力を省くものである。
（ロ）無理な姿勢とならないで犬や猫を移送するので、飼い犬猫を消耗させることにはならない。
（ハ）犬猫を移送する手押し車は、飼い主にとって持ち運びが容易である。
【０００４】
【課題を解決するための手段】そこで、本考案における犬や猫を移送する手押し車の構成は、次の通りである。
（イ）基本となる２本のパイプ（１）をつなぎあわせ、それらに２本のパイプ（２）を支柱として接続し、それぞれのパイプの底部に車輪（４）を取り付ける。
（ロ）基本となる２本（１）のパイプの間に、犬猫の胴体に巻き付けるようにした帯状の布（５）を留めておく。
【０００５】
【作用】本考案の作用は、次の通りである。
（イ）基本となる２本のパイプ（１）を開いて、また、基本となるパイプ（１）から支柱となるパイプ（２）を伸ばして、犬猫の胴体に帯状の布（５）を調節しながら巻き付け、接着および剥離の容易なテープ（８）で止める。そうすると、犬猫は立った姿勢で固定される。
（ロ）飼い主は、基本となる２本のパイプ（１）の上部先端の把手（７）をもって押すと、その底部の車輪（４）の動きによって、前後左右に移動することができる。
（ハ）犬猫の移送を終えた後には、支柱としての２本のパイプ（２）を基本となる２本のパイプ（１）の側に折り畳み、基本となる２本のパイプ（１）にそろえ合わせる。そうすると、持ち運びが容易になる。
【０００６】
【実施例】本考案の実施例は、次の通りである。
（イ）基本となる２本のパイプ（１）をつなぎ合わせるために、折り曲げすることができる接続板（３）を２ケ所に設ける。また、基本となる２本のパイプ（１）を傾斜した状態にして、２本のパイプ（２）を支柱として接続する。これらのパイプの底部には、前後左右に動く車輪（４）を取り付ける。
（ロ）基本となる２本のパイプ（１）の上部の先端には握りやすいように把手（７）を付ける。支柱としての２本のパイプ（２）を基本となる２本のパイプ（１）の側に折り畳めるようにする。
（ハ）基本となる２本のパイプ（１）と帯状の布（５）をフック（６）で接続する。帯状の布（５）を犬猫の胴体に巻き付けて留めるために、帯状の布（５）の横端に接着および剥離の容易なテープ（８）を付ける。
【０００７】
【考案の効果】本考案の効果は、次の通りである。
（イ）この装置は、飼い主が手押して歩けるから、犬猫を抱いたり、籠にいれてさげたりするという労力を軽減する。
（ロ）この装置は、帯状の布（５）を巻き付けるから、犬猫の大小によって調節したり、また、立った姿勢に維持でき、犬猫にとっても無理な姿勢とはならない。
（ハ）この装置は折り畳みが可能であるから、飼い主は、使用していないときにも、持ち運びが容易になる。
【図面の簡単な説明】
【図１】使用状態にある本装置を右側から見た斜視図である。
【図２】使用状態にある本装置の側面図
【図３】使用状態にある本装置の裏面図
【符号の説明】
１　基本のパイプ
２　支柱のパイプ
３　接続板
４　車輪
５　帯状の布
６　フック
７　把手
８　接着テープ
【図１】
0003097661.tif 000003
【図２】
0003097661.tif 000004
【図３】
0003097661.tif 000005
(57)【要約】【課題】天井を住宅構造物の梁に調整固定を簡単、確実に施工できる天井吊具を提供すること。【解決手段】長方形状からなる天井吊具は、固定スライド枠（１）と固定プレート（２）を梁と天井垂木に固定させ、調整枠（４）内のナット（７）で高低差を調整して吊具を確実に定めた位置に固定する。【選択図】　　図１
0003097664.tif 000002
【実用新案登録請求の範囲】
【請求項１】
建物の梁から天井垂木を吊り上げるため、上部梁側に固定プレート、下部の垂木側にも固定プレート２箇所を設け、上部、下部の高さを調整するため枠を一体化しボルトで連結させた木造住宅天井吊具。
【請求項２】
連結ボルトは上部の下側に高さの位置を上下に調整するための枠を設けナットで上下を微調整できるようにした請求項１の木造住宅天井吊具。
【請求項３】
枠と調整ナットの中間に防振用弾性ゴムを設けた請求項１、請求項２の木造住宅天井吊具。
【考案の詳細な説明】
【０００１】
【考案の属する技術分野】
本考案は、木造住宅の天井吊具であり、詳しくは住宅構造梁に天井の吊り上げ固定に関する物である。
【０００２】
【従来の技術】
従来、この種の天井吊具としては金属から構成された天井吊固定金具が知られている。
【０００３】
【考案が解決しようとする課題】
従来の技術で述べた吊金具は、長方形の板状で梁と天井垂木を固定するが更なる微調整ができない。
【０００４】
そのため、梁固定部、天井固定部の中央に調整用の箱型をした枠を設けて微調整を行うが、枠の幅が厚いため調整がしづらい。また箱状のため建築施工上、邪魔になっている。
【０００５】
更に、この吊金具は金属製のため振動発生時には金属音が発生すると共に構造が固定プレートから丸棒で調整枠に固定し、この枠からボルトで次の固定プレートへ連結をさせる。このように構造が複雑で調整枠が狭いためわずかな上下の調整しかできない。
【０００６】
また、木造の梁は、合板梁の場合に吊金具を固定すると接着剤の影響で金属部分の腐食が発生するなどの問題を有している。
【０００７】
この考案は、前記の現状を鑑みて、薄型、軽量で使い勝手の良い天井吊具を提供しようとするものである。
【０００８】
【考案を解決するための手段】
上記の目的を達成するために、本考案における天井吊具はプラスチック樹脂で固定プレートと調整枠を同一本体にし、一方をボルトと固定プレートを連結させた組合せ、上下の調整枠は肉厚が薄く構成されているため簡単で安全な使い勝手の良い天井吊具を得るものである。請求項１は、梁から天井を吊り上げるための吊具で、中間で高さを調整できるようにした。この天井吊具は、どちらかの一方が上下に限定されるものではない。請求項２は、固定プレートと調整枠を一体化させた枠に、一方からのボルトを通しナットで上下の調整ができるようにし、請求項３は、調整枠本体と調整ナットの中間に弾性体ゴムを設け熱可塑性樹脂を用いたリサイクル可能な天井吊具である。
【０００９】
【考案の実施の形態】
考案の実施の形態については、図面を参照にして説明する。図１、図２において、固定スライド枠（１）と固定プレート（２）は、例えば樹脂プラスチックを用い射出成形加工により厚み１．５ミリから３．５ミリ程度の肉厚を有し長方形に形成されている。調整ボルト（３）は、樹脂または金属を用い３ミリから６ミリのネジ山ボルトを用いる。
【００１０】
調整枠（４）内に調整ボルト（３）を通し、防振のための弾性ゴム（５）とワッシャー（６）とナット（７）で連結させる。
【００１１】
【考案の効果】
この考案の天井吊具は、住宅の天井を構造物の梁へ吊り上げ固定する時に使用するもので、一方を梁側へ、もう一方は天井板を支える垂木と連結させる。この際に高さを調整して固定させる天井吊具である。
【００１２】
吊具は強化樹脂プラスチックで成型されているため軽量であり、一方の固定プレートと調整枠を一体化にしたため取扱いやすい。また、調整枠の肉厚を薄くしたため簡単に高さの調整を可能にした施工勝手の良い天井吊具を得ることができる。
【図面の簡単な説明】
【図１】天井吊具の正面図である。
【図２】天井吊具の側面図である。
【符号の説明】
１、　固定スライド枠
２、　固定プレート
３、　調整ボルト
４、　調整枠
５、　弾性ゴム
６、　ワッシャー
７、　ナット
【図１】
0003097664.tif 000003
【図２】
0003097664.tif 000004
(57)【要約】　　　（修正有）【課題】固定金具と手摺パイプとの隙間によるガタツキを解消出来る固定金具を提供する。【解決手段】本体取り付け座金の本体との螺合部より飛出してははならない断面コ字金物を座金にはめ込み座金と本体金物を螺合する為の小ねじを締め込むことにより断面コ字状金物の両端が押されパイプ方向に弓形状もりあがる。この金物は角パイプの外寸と同じ寸法の為、弓形状にもりあがった部分が角パイプの切断断面と接触することによりが隙間をなくしガタツキを解消する。【選択図】　　図３
0003097665.tif 000002
【実用新案登録請求の範囲】
【請求項１】
手摺パイプを固定する金具において固定金具を組み立てることにより手摺パイプと固定金具の隙間を断面コ字状の金物の上下部を組立用小ねじにて押さえ込むことにより中央部がパイプ側に弓形状に盛り上がりガタツキをなくし固定する機能を兼ね備えた固定金具。
【考案の詳細な説明】
【０００１】
【考案の属する技術分野】
本考案は、手摺パイプのガタツキをなくす固定金具に関する。
【０００２】
【従来の技術】
固定金具の外側よりビスなどでパイプ本体と固定金具本体を貫通させて固定する。
【０００３】
【考案が解決しようとする課題】
窓枠の内側に取付ける際、手摺パイプを必要な長さに測り切断し固定金具で取付け時パイプ本体と固定金具との間に窓枠開口部の寸法変動の為、隙間が出来てしまいこの少しの隙間でパイプと固定金具とがガタツキを発生させてしまう。このガタツキを解決しようとすると固定金具外側よりビスなどで固定金具とパイプとを貫通して固定しなければならないため固定金具にビス穴を加工する手間やパイプ本体に下穴をあけなければならないといった工程が追加された。
【０００４】
【課題を解決するための手段】
本考案は，固定金具の固定座部と固定金具本体を固定する２本の小ネジで固定座部の内部にはめ込んだ断面コ字状金具の両端を２本の小ネジで押すことによりコ字金具の中心部がパイプ方向に弓形状に盛り上がりパイプと到接し隙間をなくすことによりガタツキをなくし、パイプ本体の加工や固定金具の加工の手間を省き上記課題を解決するものである。
【０００５】
【考案の実施の形態】
図１は角パイプの固定機構である。取付け場所に金具を取付けする為の断面コ字状の取付け座金１と、５の貫通孔を使用して座金１を窓枠などに取付ける為の木ネジ９と、４の角パイプを固定する為の本体３と、３と１とを組み立てる為７の貫通孔を経て雌ネジ穴６に螺合する皿小ネジ８と、８を締めつけることによって中央部が弓形状に盛り上がる断面コ字状金具２からなる。
【０００６】
次に、角パイプ固定金具による取付け作業について説明する。
まず、座金１を取付け場所に貫通孔５を経て木ネジ９で取付ける。次に、金具２を座金１の中にはめ込む。この作業までを対となる反対側の取付け場所にも同作業で行う。対となる反対側の座金１には本体３を皿小ネジ８にて仮止を行う。角パイプ４に本体３を通し４の片側を対となる仮止をした固定金具に差し込む。角パイプ４に通した本体３を座金１に合せ皿小ネジ８にて仮止をする。（図２参照）仮止をした皿小ネジ８を締めつける。同様に対となる反対側の皿小ネジ８も締めつけると同時に金具２が弓形状になり角パイプと到接する。（図３参照）
【０００６】
図４は本考案を用いた手摺パイプ取付け窓枠正面図である。
【考案の効果】
本考案により、窓枠の寸法変動による手摺パイプを取付けた時に起こる左右方向のガタツキを、固定金具を組み立てするだけで断面コ字状金具がパイプ方向に弓形状に膨らみパイプと到接することで座金とパイプの隙間を無くしガタツキを出なくする事が可能になった。また、角パイプの切断も特殊な切断方法が必要ではなくなった。この為、仕上がりの綺麗さ、作業効率の向上が可能になった。
【図面の簡単な説明】
【図１】本考案の実施形態の斜視図である。
【図２】本考案の組立時途中経過の正面断面図である。
【図３】本考案の組立完成図の正面断面図である。
【図４】この取付金具を用いた手摺パイプの窓枠取付け正面図である。
【符号の説明】
▲１▼・・・本体取付け用座金
▲２▼・・・断面コ字状金具
▲３▼・・・固定金具本体
▲４▼・・・角パイプ
▲５▼・・・座金取付け用貫通孔
▲６▼・・・本体，座金螺合する為の雌ネジ穴
▲７▼・・・本体取付け用貫通孔
▲８▼・・・本体，座金螺合する為の皿小ネジ
▲９▼・・・座金取付け用木ネジ
【図１】
0003097665.tif 000003
【図２】
0003097665.tif 000004
【図３】
0003097665.tif 000005
【図４】
0003097665.tif 000006
(57)【要約】【課題】本考案は液体及び浮遊物を２枚の透明な樹脂板の間に封入した物で作るカードケースで使用時に、封入した物が動き、変化が楽しめる。【解決手段】２枚の透明な樹脂板の間に液体及び浮遊物を封入、溶着し、３枚目の同サイズの樹脂板と合わせ３辺を溶着して作るカードケースで、使用時に液体及び浮遊物が動き楽しめる。浮遊物に絵や文字を印刷出来、液体を好みの色にできる。【選択図】図１
0003097662.tif 000002
【実用新案登録請求の範囲】
【請求項１】
鉄道等の乗車時に使用する定期券やカード、名刺、各種カード類を入れるためのケースの表面を、透明な樹脂版を二重に作り、その間に液体及び浮遊物を入れ周囲を溶着した物。
【考案の詳細な説明】
【０００１】
【考案の属する技術分野】本考案は、透明な樹脂板で作るカードケースの片面を二重にし、その間に液体及び浮遊物を封入した物である。
【０００２】
【従来の技術】カードケースは革、布、樹脂製に模様をつけた物等がある。
【０００３】
【考案が解決しようとする課題】従来のカードケースは素材に着色、印刷するなどで、動き、変化がない。
【０００４】
【課題を解決するための手段】本考案は２枚の透明な樹脂板の間に液体及び浮遊物を入れ、周囲を溶着した物で袋状のものを作るので、持った時に、中の液体、浮遊物が動き楽しめる。浮遊物を絵、文字を印刷した物にも出来、液体を好みの色に着色できる。
【０００５】
【考案の実施の形態】２枚の透明なカードサイズの樹脂板の間に、液体及び浮遊物を入れ周囲を溶着した物と、同サイズの、指でカードを押し出す穴のついた樹脂板を合わせ、その周囲３辺を溶着し袋状にする。
【０００６】
【実施例】以下添付図面に従って一実施例を説明する。１は透明な樹脂板、２は液体及び浮遊物、３はカードを指で押し出す穴で、３のついていない２枚の１で、２をはさみ、周囲を溶着し、３のついている１を合わせ３辺を溶着し袋状にする。
【０００７】
【考案の効果】透明な樹脂板の間の液体に好みの色をつけたり、浮遊物に絵や文字を印刷でき、注目される。使用時に液体や浮遊物が動き楽しめる。
【図面の簡単な説明】
【図１】本考案の液体及び浮遊物入りカードケースの正面図である。
【図２】２枚の透明な樹脂板の間に液体及び浮遊物をはさみ込み周囲を溶着し３枚目の穴の開いた樹脂板を乗せ、３辺を溶着し袋状にする様子である。
【符号の説明】
１透明な樹脂板
２液体及び浮遊物
３樹脂板に開けたカードを指で押し出す穴
【図１】
0003097662.tif 000003
【図２】
0003097662.tif 000004
(57)【要約】【課題】融雪機能並びに透水性を有し、同時に滑り止め機能を備え、且つ軽量で取り扱いやすい新規な点字ブロックを提供する。【解決手段】ゴムチップをバインダーで一体化して透水性を有するように形成した本体部１内に、電熱線４２を内装すると共に、露出端部に電熱線に接続している接続コネクタ４３を設け、表面に所定の凹凸部２１を有するゴム製の着色表面部２を積層形成してなる。【選択図】　　図１
0003097614.tif 000002
【実用新案登録請求の範囲】
【請求項１】
ゴムチップをバインダーで一体化して透水性を有するように形成した本体部内に、絶縁を施した電熱線を内装すると共に、露出端部に電熱線に接続している電力供給用の接続コネクタを設け、表面に所定の凹凸部を有するゴム製の着色表面部を積層形成してなることを特徴とする点字ブロック。
【請求項２】
本体部形成ゴムチップに、廃ゴムで形成したチップを使用し、着色表面部に着色ゴムチップを採用してなる請求項１記載の点字ブロック。
【請求項３】
接続コネクタのマット外への露出箇所におけるマット底面に、コネクタ収納凹部を形成してなる請求項１または２記載のいずれかの点字ブロック。
【請求項４】
補強用ワイヤーメッシュ体に電熱線を添わせて本体部内に組み込んでなる請求項１乃至３記載のいずれかの点字ブロック。
【考案の詳細な説明】
【０００１】
【産業上の利用分野】
本考案は、歩道やプラットホームなどの屋外に敷設される点字ブロックに関するものである。
【０００２】
【従来技術及び考案が解決しようとする課題】
視覚障害者の歩行に便利なように、表面に一定の凹凸部を形成した所謂点字ブロックが歩道やプラットホーム等に敷設されている。しかし降雪地方では、当該箇所が積雪が踏みしめられた状態となると、点字ブロックとしてもはや機能しない。
【０００３】
そこで従前より融雪機能を備えた点字ブロックが提案されている。例えば特開２００２−２５００１６号公報には、板状のコンクリートブロックと点字タイルとの間に発熱体が配置されている点字ブロックが開示されており、特開２００２−２４２１１８号公報には、普通コンクリート材中に０．３〜５重量％のカーボン粉末を加えてコンクリート部分を形成し、内部に電気ヒータや配筋並びにリード線を配設し、下部及び側部に断熱材を設けて形成した点字ブロックが開示されている。
【０００４】
ところでコンクリート本体や、点字タイルに融雪機能を具備させると、融雪機能を発揮した場合には、当該路面が必ず濡れているため、滑りやすくなっている。即ち安全面からみると、融雪機能を備え且つ透水性を有し、同時に滑り止め機能も併せ持つ必要がある。しかし従前の融雪機能付き点字ブロックには、このような配慮が全くなされていない。またコンクリート製のブロックは重量が有り必ずしも取り扱いに便利であるとは言えない。
【０００５】
そこで本考案は、滑り止め機能並びに透水性を備え、且つ軽量で取り扱いやすい新規な点字ブロックを提案したものである。
【０００６】
【課題を解決する手段】
本考案に係る点字ブロックは、ゴムチップをバインダーで一体化して透水性を有するように形成した本体部内に、電熱線を内装すると共に、露出端部に電熱線に接続している接続コネクタを設け、表面に所定の凹凸部を有するゴム製の着色表面部を積層形成してなることを特徴とするものである。
【０００７】
従って降雪時に通電することで融雪を実施し、表面着色表示部がゴム製であるので、融雪時の滑り易さを解消していると共に、全体がゴムチップ製であり軽量で取り扱いやすい。
【０００８】
また本考案（請求項２）は、前記の点字ブロックにおいて、本体部形成ゴムチップに、廃ゴムで形成したチップを使用し、着色表面部に着色ゴムチップを採用してなるもので廃タイヤの有効利用になり製造原価を安価とすることができる。
【０００９】
また接続コネクタのマット外への露出箇所におけるマット底面に、コネクタ収納凹部を形成することで（請求項３）、マットの連続敷設に際して、継ぎ目部分に接続コネクタによる空隙を生じさせることがない。
【００１０】
【実施の形態】
次に本考案の実施の形態について説明する。実施形態に示した点字ブロックは、本体部１と、着色表面部２と、補強用ワイヤーメッシュ体３と、電線部４とで構成されている。
【００１１】
前記の点字ブロックの製造は、所定の型枠に、廃タイヤチップにバインダーを混合したものであって内部に適宜な空間ができ、透水性を確保するように適宜厚さに充填し、途中で補強用ワイヤーメッシュ体３と、前記ワイヤーメッシュ体３に添わせて縛着した電線部４を置く。
【００１２】
なお電線部４は、本体部１内を縦走する電力供給線４１から、電熱線４２が並列接続となるように接続し、電力供給線の両端は、接続コネクタ４３を設けて、本体部１の外方に露出させるようにしてなる。
【００１３】
補強用ワイヤーメッシュ体３と、電線部（電力供給線４１と電熱線４２）４を載置した上に、更に廃タイヤチップにバインダーを混合したものを充填し、本体部１を透水性を確保した状態で固化形成する。
【００１４】
次に黄色に着色したゴムチップをバインダーと混合し、所定の凹凸部２１を形成するように所定の型枠で押圧して、表面を多少堅く固化させて着色表面部２を形成する。勿論適宜な間隙を有するように固化させる。
【００１５】
尚本体部１の接続コネクタ４３の近傍に、底面の一部を抉り取った収納凹部１１を形成しておく。
【００１６】
而して前記の点字ブロックは、歩道やプラットホームの点字ブロック敷設箇所（他の通常ブロックＡの間）に、連ねて敷きつめていくもので、前記の敷設に際して接続コネクタ４３で電気接続が実現すると共に、当該接続コネクタは、収納凹部１１内に収納されるので、点字ブロックの敷設に影響がない。
【００１７】
【考案の効果】
以上のように本考案は、ゴムチップをバインダーで一体化して透水性を有するように形成した本体部内に、電熱線を内装すると共に、露出端部に電熱線に接続している電力供給用の接続コネクタを設け、表面に所定の凹凸部を有するゴム製の着色表面部を積層形成してなる点字ブロックで、降雪時に通電することで融雪を実施し、融雪水を透過させ且つ表面着色表示部がゴム製であるので、融雪時の滑り易さを解消していると共に、全体がゴムチップ製であり軽量で取り扱いやすく、しかもクッション性が程良い歩行感覚を与えるものである。
【図面の簡単な説明】
【図１】本考案の実施例の全体の断面図。
【図２】同補強ワイヤーと電線部の斜視図。
【図３】同敷設状態の平面図。
【図４】同断面図。
【符号の説明】
１　　　　本体部
１１　　　収納凹部
２　　　　着色表面部
２１　　　凹凸部
３　　　　補強用ワイヤーメッシュ体
４　　　　電線部
４１　　　電力供給線
４２　　　電熱線
４３　　　接続コネクタ
【図１】
0003097614.tif 000003
【図２】
0003097614.tif 000004
【図３】
0003097614.tif 000005
【図４】
0003097614.tif 000006
(57)【要約】【課題】侵入窃盗犯等がクレセント錠を簡単に開錠できないようにする。【解決手段】クレセント錠の取り付けてあるサッシに台座２を取り付け、その台座２を固定板１が溝に沿って上下に移動し、施錠した状態のクレセント錠のレバーを覆い固定できるようにした。【選択図】　　図２
0003097619.tif 000002
【実用新案登録請求の範囲】
【請求項１】
固定板１が台座２を上下に移動し、クレセント錠の上部を覆い施錠したクレセント錠を固定する器具
【請求項２】
金属等硬度の高い物質でつくった請求項１の器具
【考案の詳細な説明】
【０００１】
【考案が解決しようとする課題】
従来、サッシ窓についているクレセント錠は、レバーを回転させるだけで施錠及び開錠でき、侵入窃盗犯等がサッシ窓のクレセント錠付近のガラスを小さく割り開けるだけで簡単に開錠することができるという問題点を有していた。
【０００２】
【課題を解決するための手段】
上記目的を達成するために、クレセント錠の取り付けてあるサッシに左右に溝を設けた台座を取り付け、その台座をクレセント錠の上部を覆えるよう加工した板が溝に沿って上下に移動し、固定できるようにした。
【０００３】
【考案の効果】
施錠した状態のクレセント錠を、台座に取り付けた板が下に移動しクレセント錠上部を覆い固定することにより、クレセント錠のレバーの回転を妨ぎ開錠できないようにすることができる。また、台座に取り付けた板を上に移動させることにより、当該器具をサッシから取り外すことなくクレセント錠を開錠することができる。
【図面の簡単な説明】
【図１】当該考案の器具の斜視図である
【図２】当該固定器具で、施錠中のクレセント錠を固定している斜視図である
【符号の説明】
１　固定板
２　台座
３　つまみ
４　ガラス
５　クレセント錠
６　サッシ
【図１】
0003097619.tif 000003
【図２】
0003097619.tif 000004
(57)【要約】　　　（修正有）【課題】たとえば真珠玉の表面に傷を付けたり汚れて光沢を失つたりすることを未然に防ぐことが出来るようにした装身具類収納ケースを提供する。【解決の手段】略正方形状に形成したケースの底面の側板の高さに等しい台座を設け、この台座の適所に指輪あるいはイヤリング等の比較的小さい装飾品を挿込む収納溝を設けたものである。【選択図】　　　　　　　図１
0003097640.tif 000002
【実用新案登録請求の範囲】
【請求項１】
側板（１）を一体に形成したケース（２）の底面に、前記側板（１）の高さに等しい台座（３）を設け、該台座（３）に収納溝（４）を形成し、更に上記台座（３）とケース（２）の周壁との間に、連続的に中心に向かって半円形に形成した切込溝（７）を一定の間隔を距てて円弧状に列設せしめ、前記切込溝（７）の上端に夫々止金収納室（８）を連設せしめた装身具類収納ケース。
【考案の詳細な説明】
本考案は、たとえば、通常は女性が洋服を着用した時に使用することが多い首飾りを保管収納する際に利用することを目的とするものであって、たとえば真珠玉の表面に傷を付けたり汚れて光沢を失つたりすることを未然に防ぐことが出来るようにしたものであって、通常ネックレスとして使用されておる素材である真珠玉のようなものの場合には直径が４ミリ乃至は５ミリ程度のものが加工するのに適しておることに着目し、更に衣服類を損傷したりする等の懸念を生ずることなく、安心して着用することが出来るようにしたのみならず、携帯して持ち歩く様な場合であっても安心して携行することを可能ならしめるための収納ケースを提供せんとするものである。
【考案に属する技術分野】
発泡性合成樹脂に属するポリエチレン系樹脂を主材として構成したもので、極めて加工が容易であり、且つ軽量である。
【従来の技術】
公知に属する従来の技術にあつては、たとえネックレスの両端に設けてある止金具をケース内に取り付けた受金に掛止めする様にしただけのものであって、収納ケースを持ち運びする様な場合には、その度び毎にネックレスがケース内で移動し接触する機会が多いから傷が出来やすく、そのために光沢を失い著しく商品価値を低下せしめる等の欠点があった。
【考案が解決しょうとする課題】
本考案によれば、略正方形状に形成したケースの底面の側板の高さに等しい台座を設け、この台座の適所に指輪あるいはイヤリング等の比較的小さい装飾品を挿込む収納溝を設けたものであるから、このような小物装飾品とネックレスとを同じケース内に収納することが出来ると云う特徴を有することから紛失したり置き忘れたりする等のことを事前に解消することが出来るのである。
【考案の効果】
本考案に係る装身具類収納ケースにおいては、その構造がきわめて簡単であり且つ又軽量で、ネジ類、釘類、鋲類等の金属材料等の部品は全然使用しておらず、接着剤のみを使用して組立て加工をしておるものであるから、作業工程、並びに作業時間を著しく短縮することが出来るので生産能率を向上せしめる等の工業的利点を有するものである。
【図面の簡単な説明】
【図１】全体を示す平面図
【図２】第１図に示すＡ−Ａ’断面図
【図３】台座の縦断面図
【図４】ネックレスを収納した状態を示す平面図
【符号の説明】
１　・・・　外箱　　　　　　　　５　・・・　ケースの底面
２　・・・　ケースの側面　　　　６　・・・　半円形切込溝
３　・・・　台座　　　　　　　　７　・・・　切込溝
４　・・・　収納溝　　　　　　　８　・・・　止金収納室
９　・・・　ネックレス
１０　・・・　止金
【図１】
0003097640.tif 000003
【図２】
0003097640.tif 000004
【図３】
0003097640.tif 000005
【図４】
0003097640.tif 000006
(57)【要約】【課題】最も身近な日常生活に即して健康体育の向上と実利の推進を図る。【解決の手段】上記の視野において、本案は着用者のひざ部及び臀部に綿入緩衝層を縫着して野球用ユニホームズボンを完成せしめたものである。【実用新案登録請求の範囲】
【請求項１】
着用者のひざ部及び臀部に綿入緩衝層を縫着したことを特徴とする野球用ユニホームズボン
【考案の詳細な説明】
【０００１】
【考案の属する技術分野】この考案は野球用ユニホームズボンの構造に関するものである。
【０００２】
【従来の技術】既存のユニホームズボンはスボーツ用として単純に着衣としての条件があれば事足れりとされていた。運動が活動的となればなるほどこれに対処しうる対抗処理が必要になることは当然である。
【０００３】
【考案が解決しようとする課題】上記の視野において過去においても健康体育の向上と実利の推進を図るべくスポーツ用被服について改良に意をそそいでいるが、更に歩を進めてより着用者の危険防止と安全確保を目途として本案を成立せしめたものである。
【０００４】
【課題を解決するための手段】上記に鑑み、本考案は着用者のひざ部及び臀部に綿入緩衝層を縫着して当人の活発なるゲーム活動を助勢するものとし健全なるスボーツの妙味を更に満喫こうる態勢の確保を目指している。
【０００５】
【本考案実施の形態】本考案実施の形態は以下図面について説明する。
【０００６】
【実施例】図面は本案野球用ユニホームズボンの平面図で、図１は一部切欠きしたズボンの表面図、図２は同上背面図である。
【０００７】
図面において１はズボン本体、２はひざ部、３は臀部、４は綿入緩衝層を示す。
【０００８】
【作用】本案は上記の構成において、スボーツの共通性とはいえグランド上は勿論屋内競技場と躍も激しい全身的な刺激に耐えるがためには当人の体力に加えてこれを助勢する手段としての着衣も軽視すべからざる役割を負担する責任あること言うまでもないことで、本案の綿入緩衝層の縫着はまさにこの重責を果たした言えよう。
【０００９】
かくの如く本案はスボーツ業界の首位を占める野球業界において主役を演ずる選手当人にとって綿入「クッション性」を活用してひざ部、臀部に添加される刺激を強力に吸収する効果は極めて強化されること顕著なりとされる。
【図面の簡単な説明】
図面は本考案の平面図である。
【符号の説明】
１　　ズボン本体
２　　ひざ部
３　　臀部
４　　綿入緩衝層
【図１】
0003097636.tif 000002
【図２】
0003097636.tif 000003
【手続補正書】
【提出日】平成15年7月1日(2003.7.1)
【手続補正１】
【補正対象書類名】明細書
【補正対象項目名】図面の簡単な説明
【補正方法】変更
【補正の内容】
【図面の簡単な説明】
【図１】本考案の平面図である。
【図２】本考案の背面から見た平面図である。
【符号の説明】
１　前ズボン本体
２　ひざ部綿入緩衝部
３　後ズボン本体
４　臀部綿入緩衝部
(57)【要約】【課題】本考案はポケットティッシュにおける広告、宣伝用のスペースを拡大し、広告、宣伝効果の増大を課題とする。【解決手段】本考案はプラスチック類等のフィルム状物の素材を使用して、二つ折りで、向かい合った２箇所の袋状のティッシュペーパー収容スペース、及び４面によって形成され、４面のそれぞれに広告、宣伝を出来るようにしたものであり、広告、宣伝効果の増大に役立つ。【選択図】　図１
0003097633.tif 000002
【実用新案登録請求の範囲】
【請求項１】
プラスチック類等のフィルム状物からなる、二つ折りにした内側に２箇所の収容スペースを有した袋内にティッシュペーパーを収容したポケットティッシュにおいて、ポケットティッシュの全ての面に印刷可能なポケットティッシュ。
【考案の詳細な説明】
【０００１】
【産業上の利用分野】
本考案はプラスチック類等のフィルム状物を袋状にしたものに、ティッシュペーパーを収容した、通称ポケットティッシュ、又は携帯用ティッシュペーパーなどと呼ばれているものに関する。
【０００２】
【従来の技術】
従来よりポケットティッシュは日常的に使用され便利なものであり、且つ広告、宣伝用の素材として使用されている。
【０００３】
広告、宣伝用に使用されているポケットティッシュはティッシュペーパーを収容するスペースが１箇所しか無く、また広告、宣伝を印刷する面が表と裏の２面しか無い。
【０００４】
表の印刷面にはティッシュペーパーを取出すための開口用のミシン目があり、ティッシュペーパーを取出すと、表面に印刷された広告、宣伝がミシン目より破れた形になって美観を損なうという問題があった。
【０００５】
【考案が解決しようとする課題】
本考案はポケットティッシュの広告、宣伝スペースを拡大し、従来のポケットティッシュのスペースでは多くの広告、宣伝を載せられなかった欠点、及びミシン目が破れることによってミシン目上にある広告の美観を損ねるという欠点を解決しようというものである。
【０００６】
【課題を解決するための手段】
本考案は任意の大きさの１枚のプラスチック類等のフィルム状物を任意に３分割し、３分の１部分と３分の３部分はティッシュペーパーの収容部分を形成する為、面積を多くし、３分の２部分はティッシュペーパー収容スペースの入り口部分になる為、面積は少なくてよい。
【０００７】
３分の１部分と３分の３部分のそれぞれの中央を谷側に折り曲げ、両端の上と下に分かれた辺を揃えて融着又は接着し、向かい合わせの袋状のスペースを作り、ティッシュペーパーを収容する。
【０００８】
さらに向かい合わせになった３分の２部分のティッシュペーパーの入り口の所で谷側に折り合わせ、二つ折りのポケットティッシュとなる。
【０００９】
従って、４つの面と２箇所の収容スペースができ、広告、宣伝スペースを拡大し、問題点を解決している。
【００１０】
【考案実施の形態】
二つ折りにしたポケットティッシュ本体は、開閉が自在であり、開いた時にはティッシュペーパーが容易に取出せる。また、閉じている時は外側にある２面の広告、宣伝が見れ、開いた状態では内側にあたる２面の広告、宣伝がティッシュペーパーを取出す時に常に見ることが可能である。
【００１１】
【実施例】
以下、添付図面に従って、一実施例を説明する。図１はポケットティッシュの全体図である。１はティッシュペーパー収容スペース、２はティッシュペーパー収容スペースの入り口、及び取出し口。３は両辺を融着又は粘着させ、ティッシュペーパーの収容スペースを形成する。
【００１２】
図２は二つ折りのポケットティッシュの一部切欠断面図である。４は広告、宣伝の印刷面であり、ポケットティッシュ全体で４面の印刷面がある。
【００１３】
【考案の効果】
本考案は、ポケットティッシュ本体の広告、宣伝可能部分を拡大し且つ、ミシン目によるティッシュペーパー取出し口を無くした事により印刷の美観を損なうことなく、広告、宣伝効果の増大に役立つ。
【図面の簡単な説明】
【図１】本考案の全体図である。
【図２】本ポケットティッシュの一部切欠断面図である。
【符号の説明】
１　ティッシュペーパー収容スペース
２　ティッシュペーパー収容スペースの入り口、及び取出し口
３　ティッシュペーパー収容スペースを形成する融着、又は接部分
４　広告、宣伝の印刷面
【図１】
0003097633.tif 000003
【図２】
0003097633.tif 000004
【手続補正書】
【提出日】平成15年6月2日(2003.6.2)
【手続補正１】
【補正対象書類名】明細書
【補正対象項目名】請求項１
【補正方法】変更
【補正の内容】
【請求項１】
プラスチック類等のフィルム状物からなる、二つ折りにした内側に２箇所の収容スペースを有した袋内にティッシュペーパーを収容したポケットテ
ィッシュ。
(57)【要約】　　　（修正有）【課題】外出や、買物の時に、ハンドバッグを使用する際に、簡単な動作で用を足せるものを作ることを目指した。【解決方法】簡単な動作でハンドバッグを開閉できるよう、開口部のすべてにワンタッチで開閉できる留金を取り付けた。【選択図】　　　　　　　　　　図２
0003097638.tif 000002
【実用新案登録請求の範囲】
【請求項１】
ハンドバッグに、開口部を複数設け、そのそれぞれに留金が並行して取付けられた、婦人用便利バッグ。
【考案の詳細な説明】
【０００１】
［産業上の利用分野］
本考案は、外出したり、買い物したりする際に使うハンドバッグの内容物を、収納しやすくしたり、物を出し入れし易くするために考案されたものである。
【０００２】
［従来の技術］
従来のハンドバッグは、開口部にファスナーが付いていたり、マグネットが付いていたりするものが多い。最近では収納部分が、三つに分かれたものが多く出回っているのはよいが、ファスナーやマグネットの組みあわせだったり、開口部が完全に開いているものも多い。ファスナーは開閉し辛く、マグネットは開口部が大きいので、万引きの疑いを買い手売り手、ともに心配しなくてはいけない。
【０００３】
また、ハンドバッグの外側には、小銭入れ、ハンカチ、はな紙などを収納できるよう、ポケットが付いたものが望ましいが、付いてないものが多い。
【０００４】
［考案が解決しようとする課題］
ファスナーは開閉し辛いし、マグネットはワンタッチで便利だが、開口部が大きいので、万引きの心配がある。バッグの開口部は、ワンタッチで開閉できるものがよいが、同時に閉めた状態が一目でわかるものであってほしい。また収納部分が三つに分かれたものがよいし、外側にポケットは必ず付けてほしい。
【０００５】
［課題を解決するための手段］
上記目的を達成するために、本考案における婦人用便利バッグは、ファスナーやマグネットのかわりに留金を取り付けることにした。
【０００６】
［作用］
これを取り付けることにより、開口部がワンタッチで開閉でき、なおかつ一見してハンドバッグの開口部が完全に閉じていることがわかるから、万引きの心配がうすくなる。売り手サイドも万引きされる心配の低いバッグなので安心感が得られる。
【０００７】
また、収納部分が三つに分けられ、一つ一つの開口部に留金を取り付けた。これにより所持品を種類別に収納でき、それぞれがワンタッチで開閉できるので、出し入れが簡単になった。
【０００８】
また、ハンドバッグの外側の両サイドに、ポケットを一つずつ取り付けたので、よく使用する小銭入れや、ハンカチ、はな紙、などを簡単に出し入れしやすくなった。
【０００９】
［実施例］
実施例について、図面を参照して説明する。
図１においては、ハンドバッグを横から見た斜視図である。［図１］−▲１▼は、ハンドバッグ本体である。［図１］−▲２▼は、ハンドバッグの各収納部を支える金具である。［図１］−▲３▼は、留金である。［図１］−▲４▼は、取手のひもである。［図１］−▲５▼は、ポケットである。［図２］は、ハンドバッグを上から見た上視図である。［図２］−▲１▼は、ハンドバッグの本体である。［図２］−▲２▼は、各収納部を支える金具である。［図２］−▲３▼は、留金である。［図２］−▲４▼は、ひもである。
【図面の簡単な説明】
【図１】ハンドバッグを横から見た斜視図である。
【図２】ハンドバッグを上から見た上視図である。
【符号の説明】
１．ハンドバッグ本体
２．収納部分を支える金具
３．留金
４．取手のひも
５．ポケット
【図１】
0003097638.tif 000003
【図２】
0003097638.tif 000004
(57)【要約】【課題】従来のグランドピアノ運搬台車は、ネジ式であり、手動で輪を回すことによって昇降させる製品が主流であり、ごくまれに油圧式の場合も、下降側油圧回路は開放弁のみ設定されているので、ピアノを下降させる際、速度を調整することが非常に難しく、作業者の経験によるところがあった。【解決の手段】本考案は、運搬台車の昇降機能に油圧ポンプ方式を採用し、より安定した昇降機能と、労力及び時間の軽減、製品そのものの軽量コンパクト化を図るだけでなく、下降側油圧回路に流量調整弁と開放弁を直列に設定することにより、ピアノの質量に関わらず常に適切な下降速度を確保し、ピアノに損傷や衝撃を与えないよう工夫されている。【選択図】　図１
0003097632.tif 000002
【実用新案登録請求の範囲】
【請求項１】
グランドピアノ（以下ピアノ）を移動させる運搬台車の昇降機能に油圧ポンプ方式を採用し、より安定した昇降機能と、労力及び時間の軽減、製品そのものの軽量コンパクト化を図るだけでなく、下降側油圧回路に流量調整弁と開放弁を直列に設定することにより、ピアノの質量に関わらず常に適切な下降速度を確保し、高価で精密なピアノに損傷や衝撃を与えないよう工夫されている。
【考案の詳細な説明】
【０００１】
【考案の属する技術分野】
本考案は、ピアノを舞台上などで移動させる台車の昇降機能に油圧ポンプを採用した運搬台車である。
【０００２】
【従来の技術】
従来の台車は、ネジ式の手動で輪を回すことによって昇降させる製品が主流であり、ごくまれに油圧式の場合も、下降側油圧回路は開放弁のみ設定されているので、ピアノを下降させる際、速度を調整することが非常に難しく、作業者の経験によるところがあった。
【０００３】
【考案が解決しようとする課題】
手動回転によって昇降させる方式は、ピアノの下にもぐりこんでその機構を動かす必要があり、しかもピアノの加重がかかると、その輪の回転は非常に重くなり、上げる際も、下げる際も、非常に労力のかかるものであった。
油圧ポンプを採用した製品であっても、その運搬台車自体が大型で重く、また、ピアノを下降させる際、ピアノの質量が加重されると下降速度が速くなり、そのまま床に接地した場合、ピアノ脚部の折損やピアノ内部の精密部品へのダメージを与えるという問題があった。
【０００４】
【課題を解決するための手段】
昇降機構に油圧ポンプを組み込むことにより、足でペダルを数回踏むだけで簡単に上昇し、レバーを握るだけで、下降させることができる。目安として、上昇に５秒、下降に３秒程度である。従来の手動回転式の場合、少なくとも３分程度の作業時間を要するため、これは非常に労力の軽減と時間の短縮をもたらすものである。
また、油圧ポンプ式の下降側油圧回路上に流量調節弁と開放弁を直列に設定、ピアノの質量に合わせて流量調節弁を調整することにより、従来の油圧式台車では困難であったピアノの下降速度を適切に設定が可能となる。よって、ピアノに衝撃を与えることなく床に接地させることができる。
さらには、台車下部にオイル・パン（油受皿）を取り付けることにより、万が一、オイル漏れした場合にも、コンサートホールの高価な木製床材を汚すことがないよう考慮されている。
【０００５】
【考案の実施の形態】
あらかじめ流量調節弁をピアノの質量に応じたところに調整しておく。これは最初に設定すればその後特に変更する必要はない。
運搬台車をピアノ下部に置き、前方（鍵盤部分）と後方（ピアノ中央部）に持ち上げる支点を合わせる。上昇用レバーを操作することにより腕木とともにピアノを上昇させる。ピアノ脚部が床から移動に最低必要十分なだけ上昇したところで、舞台上など所定の位置までピアノを移動させる。ピアノを下降させる時は、開放弁に直結した下降用レバーをストローク量に関わらず操作するだけで、ピアノは適切な速度を保持しながら下降し、ピアノ脚部は床に接地する。
【０００６】
【実施例】
以下、添付図面に従って、一実施例を説明する。
１は運搬台車本体、２は油圧ポンプによって昇降する腕木、３は受台、４は油圧ポンプ、５は流量調節弁、６は開放弁、７は開放弁を作動させる下降用レバー、８は油圧ポンプを作動し腕木を上昇させるペダル、９は運搬台車を移動させるための車輪であり、ストッパーを付帯している。１０はオイル漏れに対処するためのオイル・パンである。
【０００７】
５の流量調節弁のダイヤル上には目盛とともにピアノサイズが記載されており、適正な目盛位置にダイヤルを設定することで、作業者の経験に左右されることのない安定した下降速度の設定が可能となる。
【考案の効果】
上述の様に、油圧式運搬台車が便利でありながら、今なお手動回転式の運搬台車が９０％以上の普及率であるのは、下降速度による楽器に対する衝撃を避けるためと、油漏れによる舞台床材への汚れ防止という２点が大きかった。この考案により問題点は改善され、安全かつ迅速な作業が可能となる。
【図面の簡単な説明】
【図１】本考案の運搬台車の実用例を示す全体図である。
【図２】本運搬車の一部切欠断面図である。
【符号の説明】
１　運搬台車本体
２　腕木
３　受台
４　油圧ポンプ
５　流量調節弁
６　開放弁
７　下降レバー
８　上昇用ペダル
９　車輪
１０　オイル・パン（油漏れ対策受皿）
【図１】
0003097632.tif 000003
【図２】
0003097632.tif 000004
【手続補正書】
【提出日】平成15年6月13日(2003.6.13)
【手続補正２】
【補正対象書類名】明細書
【補正対象項目名】実用新案登録請求の範囲
【補正方法】変更
【補正の内容】
【実用新案登録請求の範囲】
【請求項１】
グランドピアノ（以下ピアノ）を載置して昇降させる油圧ポンプ式の昇降装置を備えた運搬台車において、油圧回路に流量調整弁と開放弁を直列に設けたことを特徴とするピアノ運搬台車。
【請求項２】
前記流量調整弁には、流量調整するダイヤルがもうけられ、前記ダイヤルの回動位置の目安となるように、ピアノの大きさに応じた目盛りがもうけられていることを特徴とする、請求項１記載のピアノ運搬台車。
(57)【要約】【課題】本考案は切替スイッチにより、一つの工具で複数の自動車メーカの自己診断の呼出しを可能とし、作業時間の短縮と作業ミスを防止することが出来る。【解決手段】本考案は自己診断起動ボックス本体１に、切替スイッチ３を設け自動車メーカ毎に異なる自己診断起動端子の短絡位置を容易に選択し、短絡操作を簡単に出来るようにしたものである。本体につながるコネクタ２を自動車のサービス用コネクタに接続し、切替スイッチ３で自動車メーカを選び起動スイッチ４をＯＮにすることにより、容易に自己診断を起動出来るので、誤接続の心配がなく確実でしかも作業時間の短縮に役立つ。【選択図】　図１
0003097634.tif 000002
【実用新案登録請求の範囲】
【請求項１】
自動車の自己診断機能呼び出しのためのサービス用コネクタに接続し、切替スイッチにより短絡する端子を自動車メーカごとに切替えて、複数のメーカの自己診断機能の呼び出しを可能とした工具。
注．サービス用コネクタ＝自動車に常備されている故障診断用の端子。
【考案の詳細な説明】
【０００１】
【考案の属する技術分野】
本考案は、複数の自動車メーカに対応する自己診断呼出し工具に関するものである。
【０００２】
【従来の技術】
自己診断機能呼び出しのために短絡する端子は自動車メーカ毎に異なっており、資料を基に端子を確認しながら、配線を使って呼出しのための短絡操作を行っていた。
【０００３】
【考案が解決しようとする課題】
サービス用コネクタは短絡する部位が非常に小さく、又誤接続した場合車両のメインコンピュータが故障する危険性がある。
さらに、短絡する端子がメーカごとに異なるため、その都度資料を確認しなければならず時間的にも負担である。従ってコネクタの接続と切替スイッチの操作により前述の２つの問題点を解決しようとするものである。
【０００４】
【課題を解決するための手段】
本考案は、切替スイッチに自動車のサービス用コネクタに接続出来るコネクタを取付けた工具で、切替スイッチの操作だけでメーカ毎に短絡する端子を選択可能とし、問題点を解決している。
また、接続中の切替スイッチの誤操作防止のため、自動的に回路を遮断する起動スイッチを設けている。
【０００５】
【考案の実施の形態】
自動車のサービス用コネクタに接続する配線は、工具本体の中で切替スイッチに接続され、安全のためのヒューズと起動スイッチが組込んである。
起動スイッチはバネ力でＯＦＦするタイプのもので、起動スイッチ操作中のみ回路が接続される構造とし、切替スイッチ操作時の誤接続を防ぐ構造となっている。
【０００６】
【実施例】
以下添付図面に従って一実施例を説明する。１はアルミ製の箱で自己診断起動ボックス本体、２は市販のプラスチック製のコネクタで自動車のサービス用コネクタに合うもの、３は切替スイッチ、４は起動スイッチ、５はヒューズである。
【０００７】
２のコネクタを自動車のサービス用コネクタに接続し、３の切替スイッチで自動車メーカを選ぶことにより、各メーカに合った短絡端子が選択される。
【０００８】
次に４の起動スイッチをＯＮにすると３の切替スイッチで選択された回路が接続されて、車両の自己診断表示が開始される。
４の起動スイッチは自動復帰のタイプなので、３の切替スイッチの操作のために、４の起動スイッチから手を離すとＯＦＦし、３の切替スイッチ操作時の誤接続を防ぐ構造となっている。
【０００９】
【考案の効果】
上述の様に、切替スイッチで自動車メーカを選ぶだけで短絡端子が決定されるので、接続ミスの防止に役立つと共に、資料確認のための時間も省略出来、作業時間の短縮が図れる。
また、自動復帰のタイプの起動スイッチが安全装置として働き、切替スイッチ操作時の誤接続を防止している。
【図面の簡単な説明】
【図１】本考案の自己診断起動ボックスの一実施例を示す正面図である。
0003097634.tif 000003
【手続補正書】
【提出日】平成15年5月30日(2003.5.30)
【手続補正１】
【補正対象書類名】明細書
【補正対象項目名】実用新案登録請求の範囲
【補正方法】変更
【補正の内容】
【実用新案登録請求の範囲】
【請求項１】
工具本体に設けた切替スイッチにより、サービス用コネクタの短絡状態を切替えて、複数のメーカの自己診断機能の呼び出しを可能とした自己診断起動ボックス。